(57)【特許請求の範囲】
【請求項１】
アクセルペダル及びブレーキペダルに並列に設けられており、ドライバーの左足を乗せるフットレストに被せるカバーであって、
前記フットレストの形状に沿った形状であって、フットレストを覆うカバー本体と、
このカバー本体の前記ブレーキペダル側に設けられており、前記左足が前記ブレーキペダルの方向へ移動しないように規制する規制壁と、
を備えたことを特徴とするフットレストカバー。
【請求項２】
規制壁の下側ないし踵側を空けた形状としたことを特徴とする請求項１記載のフットレストカバー。
【請求項３】
前記規制壁の高さを、０．５〜５センチ、好ましくは１〜４センチとしたことを特徴とする請求項１又は２記載のフットレストカバー。
【発明の詳細な説明】
【技術分野】
【０００１】
本発明は、自動車において左足を置くフットレストカバーに関し、特にブレーキとアクセルの踏み間違いを低減するフットレストの改良に関する。
【背景技術】
【０００２】
最近、ブレーキペダル（以下単に「ブレーキ」という）とアクセルペダル（以下単に「アクセル」という）の踏み間違いによる事故が増えている。ブレーキとアクセルの踏み間違いによる事故は、高齢者に限られるわけではないが、重大事故につながるケースとしては高齢者の割合が高くなっている。原因としては、踏み間違いが生じたときに、高齢者は気付くのが遅いことが考えられる。若年者は、踏み間違いが生じたとしても、それをすぐに修正する反射神経があるのに対し、高齢者は反射神経の低下に加え、アクセルを踏んでいるのにブレーキを踏んでいるとの思い込みないし錯覚を起こし、このため踏み間違いに気付けず、結果的に重大事故に発展してしまうことになる。
【０００３】
従来のブレーキとアクセルの踏み間違いによる事故を軽減するものとしては、例えば、下記特許文献１記載の「車両用の緊急停止装置」がある。これは、運転席からも助手席からもよく見えて操作可能な位置に押しボタン式の緊急停止スイッチを設けている。下記特許文献２の「自動車緊急停止装置」は、ブレーキとアクセルを踏み間違えたときに、直ちにエンジンを停止させている。下記特許文献３の「自動車等の走行制御装置」は、エンジン停止時にハザードランプを点滅させている。
【先行技術文献】
【特許文献】
【０００４】
【特許文献１】特開2013-238182号公報
【特許文献２】特開2013-14304号公報
【特許文献３】特開2014-5821号公報
【発明の概要】
【発明が解決しようとする課題】
【０００５】
ところで、ブレーキとアクセルは、車の操作の中で唯一足による操作となっており、目視することなく感覚で行う操作となっている。すなわち、座席の位置やハンドル等の補器類の位置から、ブレーキやアクセルの位置を判断している。このため、運転姿勢との関係で踏み間違いが生ずる可能性がある。通常の運転中では、進行方向に対してドライバの体はまっすぐ正面を向いおり、体の中心にブレーキがある。しかし、駐停車時や後方確認時では体をひねることがあり、駐車料金の支払い時などでは上体や手を伸ばすことがあって、運転姿勢が乱れる原因となる。すると、ブレーキ上にあるはずの右足が実はアクセル上に移動することになって、踏み間違いが生ずることになる。特に、高齢者は、若年者と比較して体が硬くて柔軟性がなく、体をひねったりすると足も動いてしまい、乱れた運転姿勢を戻すのに時間がかかるようになる。
【０００６】
以上のように、何らかの理由で自分の右足の位置と、ブレーキないしアクセルの位置との対応が不明確となると、このためブレーキとアクセルの踏み間違いが生じてしまうものと考えられる。してみると、右足の位置と、ブレーキやアクセルの位置との対応関係が明確になれば、ブレーキとアクセルの踏み間違いによる事故を低減できる可能性がある。
【０００７】
本発明は、以上の点に着目したもので、右足の位置と、ブレーキやアクセルの位置との対応関係をドライバーに明瞭に認識させることで、ブレーキとアクセルの踏み間違いによる事故の発生を低減することをその目的とする。
【課題を解決するための手段】
【０００８】
本発明のフットレストカバーは、アクセルペダル及びブレーキペダルに並列に設けられており、ドライバーの左足を乗せるフットレストに被せるカバーであって、前記フットレストの形状に沿った形状であって、フットレストを覆うカバー本体と、このカバー本体の前記ブレーキペダル側に設けられており、前記左足が前記ブレーキペダルの方向へ移動しないように規制する規制壁と、を備えたことを特徴とする。
【０００９】
主要な形態の一つによれば、規制壁の下側ないし踵側を空けた形状としたことを特徴とする。
【００１０】
更に他の形態の一つによれば、前記規制壁の高さを、０．５〜５センチ、好ましくは１〜４センチとしたことを特徴とする。本発明の前記及び他の目的，特徴，利点は、以下の詳細な説明及び添付図面から明瞭になろう。
【発明の効果】
【００１１】
本発明によれば、フットレストカバーにより規制壁を設けて、ドライバーの左足をフットレスト上で位置決めすることとしたので、ドライバーは、本来の運転姿勢を保持して、ブレーキやアクセルの位置関係を明瞭に認識でき、ブレーキとアクセルの踏み間違いが良好に低減されるようになる。
【図面の簡単な説明】
【００１２】
【図１】本発明のフットレストカバーの実施例を示す図である。(A)はカバーの全体を示し、(B)は取り付け時の様子を示す。
【図２】前記実施例におけるカバー取り付け後の様子を示す図である。
【図３】前記実施例の作用を従来技術と比較して示す図である。
【発明を実施するための形態】
【００１３】
以下、本発明を実施するための最良の形態を、実施例に基づいて詳細に説明する。
【実施例１】
【００１４】
図１には、本発明の一実施例が示されている。同図(A)はフットレストカバー１００の全体を示しており、同図(B)は、自動車の運転席の足元部分にフットレストカバー１００が取り付けられる前の様子を示しており、図２は取り付け後の様子を示している。これらの図において、いわゆるＡＴ（オートマチックトランスミッション）を搭載する自動車では、クラッチが存在せず、運転席にはアクセル１０とブレーキ２０が設けられているのみである。アクセル１０，ブレーキ２０は右足で操作するため、左足を置くためのフットレスト３０が設けられている（一部車両によりフットレストが設けられていない車両もある）。
【００１５】
フットレストカバー１００は、上述したフットレスト３０を覆うカバー本体１１０の表面に、滑り止め機能を持たせたシリコン製マット１１６を備えている。カバー本体１１０は、フットレスト３０の形状に沿った形状となっており、フットレスト３０に上から被せることで、フットレスト３０の全体を覆うようになっている。カバー本体１１０のセンターコンソール側は側方当接面１１２となっており、ブレーキ２０側には規制壁１１４が設けられている。規制壁１１４は、ブレーキ２０側の全体ではなく、下側（踵側）が空いており、ドライバーの足の踵がマット１１６に乗せやすいようになっている。
【００１６】
図２に示すように、フットレストカバー１００のカバー本体１１０を、フットレスト３０に被せると、側方当接面１１２がセンターコンソール側面に当接するようになる。フットレストカバー１００は、両面テープやビスなどを利用して、自動車側の各当接面に接着固定される。
【００１７】
次に、図３も参照しながら、本実施例の作用を説明する。同図(A)は、本実施例のフットレストカバー１００を取り付けた状態におけるドライバーの足の様子を示している。ドライバーが、その左足ＬＦをカバー本体１１０上に置くと、左足ＬＦの左側はセンターコンソール側面に当たり、右側は規制壁１１４に当たる。このため、左足ＬＦは、カバー本体１１０上に位置が規制されるようになり、正しい運転姿勢が保持されるようになる。この状態で右足ＲＦを移動してアクセル１０やブレーキ２０を操作することで、右足ＲＦとアクセル１０やブレーキ２０との位置関係を把握して覚え込むことができる。このため、右足ＲＦがアクセル１０上にあるのか、あるいはブレーキ２０上にあるのかを、明確に認識することができ、踏み間違いが低減されるようになる。
【００１８】
これに対し、従来は、同図(B)に示すように、フットレスト３０に対する左足ＬＦの位置が矢印で示すように変動する。このため、左足ＬＦに対する右足ＲＦの位置も変動するようになり、右足ＲＦがアクセル１０の位置にあるのか、あるいはブレーキ２０の位置にあるのかが不明確となって、踏み間違えてしまう原因となる。例えば、駐車場において料金を支払ったり駐車券を抜き差しする際、ドライバーが体をよじって左足ＬＦの位置がブレーキ２０の方にずれると、右足ＲＦはアクセル１０の方にずれるようになる。そうすると、右足ＲＦでブレーキ２０を踏んでいるはずなのに、間違えてアクセル１０を踏んでしまう可能性が高くなる。
【００１９】
これに対し、本実施例によれば、ドライバーの体がよじれて、左足ＬＦがブレーキ２０の方向にずれようとしても、規制壁１１４によって動きが規制され、左足ＬＦの位置は変動しない。このため、アクセル１０とブレーキ２０の踏み間違いが低減されるようになる。
【００２０】
更に、本実施例によれば、左足ＬＦの全体がカバー本体１１０上に載って保持されるので、体が進行方向に対しまっすぐ正面を向く正しい運転姿勢を保持することができる。それは、左右の足に均等に体重を掛ける事となり、腰など体に対して負担の少ない運転が可能となる。
【００２１】
なお、本発明は、上述した実施例に限定されるものではなく、本発明の要旨を逸脱しない範囲内において種々変更を加えることができる。例えば、以下のものも含まれる。
(1)前記実施例では、各種の自動車に後付けできるように、フットレストのカバーとしたが、自動車の組み立て工程において、規制壁を設けたフットレストを自動車に取り付けるようにしてもよい。
(2)本発明の適用対象としては、一般的な乗用車の他、トラックなどにも適用してよい。
(3)前記実施例に示した形状や寸法は一例であり、適宜変更してよい。しかし、規制壁１１４のマット１１６からの高さとしては、０．５センチ〜５センチ程度，より好ましくは１センチ〜４センチとするとよい。低いと左足ＬＦが動いてしまう恐れがあり、高いと左足ＬＦをカバー本体１１０に乗せにくくなる。
(4)フットレストカバー１００とフロアマット４０とを一体にするようにしてもよい。また、フットレストカバー１００に、フロアマット４０の方に延設される延設部を付加し、これをフロアマット４０の下に敷くようにしてもよい。
【産業上の利用可能性】
【００２２】
本発明によれば、フットレストカバーにより規制壁を設けて、ドライバーの左足をフットレスト上で位置決めすることとしたので、ドライバーは、本来の運転姿勢を保持して、ブレーキやアクセルの位置関係を明瞭に認識でき、ブレーキとアクセルの踏み間違いが良好に低減されるようになるので、各種の乗用車のフットレストに好適である。
【符号の説明】
【００２３】
１０：アクセル
２０：ブレーキ
３０：フットレスト
４０：フロアマット
１００：フットレストカバー
１１０：カバー本体
１１２：側方当接面
１１４：規制壁
１１６：滑り止めマット
ＬＦ：左足
ＲＦ：右足
【図１】
0006868912.tif 000002
【図２】
0006868912.tif 000003
【図３】
0006868912.tif 000004